(57)【要約】【課題】  薄型化に好適で効率よく安価に製造できるカード用コネクタ装置を提供すること。【解決手段】  外部接続部５ａを具備するカード５が底板部２ａ上に挿入可能な合成樹脂製のベース部材２と、一端部が外部接続部２ａに接触可能な接触部１ａで他端部が端子部１ｂとなっている複数の端子部材１とを備えたカード用コネクタ装置において、各端子部材１は接触部１ａと端子部１ｂとの間に、高さ位置が異なる上側保持部１ｄと下側保持部１ｅとを連結してなる折曲形状の固着部１ｃを有する。この固着部１ｃは、ベース部材２の金型にインサートされることによって底板部２ａに密着固定される部位であり、上側保持部１ｄが底板部２ａの上面に露出して下側保持部１ｅが底板部２ａの下面に露出し、固着部１ｃのうち両保持部１ｄ，１ｅを除く折曲部分は底板部２ａ内に埋設される。【選択図】  図５
2006156106.tif 000002
【特許請求の範囲】
【請求項１】
外部接続部を有するカードが底板部上に挿入可能な合成樹脂製のベース部材と、一端部が前記外部接続部に接触可能な接触部で他端部が端子部となっている複数の端子部材とを備え、
前記各端子部材は前記接触部と前記端子部との間に、高さ位置が異なる上側保持部と下側保持部とを連結してなる折曲形状の固着部を有し、この固着部が前記ベース部材の金型にインサートされることによって前記底板部に密着固定されていると共に、前記上側保持部が前記底板部の上面に露出して前記下側保持部が該底板部の下面に露出していることを特徴とするカード用コネクタ装置。
【請求項２】
請求項１の記載において、前記固着部が前記上側保持部と前記下側保持部を交互に配して凹凸を連ねた形状に形成されていることを特徴とするカード用コネクタ装置。
【請求項３】
請求項１または２の記載において、前記上側保持部の上面を前記底板部の上面と略同等の高さ位置に配置すると共に、前記下側保持部の下面を前記底板部の下面と略同等の高さ位置に配置したことを特徴とするカード用コネクタ装置。
【請求項４】
請求項３の記載において、前記底板部の板厚が前記端子部材の板厚の２倍であることを特徴とするカード用コネクタ装置。
【請求項５】
請求項１〜４のいずれか１項の記載において、前記複数の端子部材は予め前記固着部どうしが連結桟によって連結されており、前記インサート成形後に前記連結桟を切断することによって個々の前記端子部材に分離されるように構成したことを特徴とするカード用コネクタ装置。
【請求項６】
請求項５の記載において、前記連結桟は前記複数の端子部材の前記上側保持部どうしまたは前記下側保持部どうしを連結するものであって、この連結桟の前記切断箇所に前記底板部を板厚方向に貫通する打ち抜き孔が穿設されていることを特徴とするカード用コネクタ装置。
【発明の詳細な説明】
【技術分野】
【０００１】
本発明は、情報記憶機能を有するカードが接続されるカード用コネクタ装置に関するものである。
【背景技術】
【０００２】
従来より、この種のカード用コネクタ装置として、複数の端子部材を内蔵したハウジングの前面にカード挿入口を設け、このカード挿入口から挿入したカードをハウジング内の所定の装着位置まで押し込むことにより、カードの下面に設けられた複数の外部接続部を対応する端子部材に接続するように構成したものが知られている（例えば、特許文献１参照）。
【０００３】
前記ハウジングは、インサート成形によって各端子部材を一体化した合成樹脂製のベース部材と、このベース部材の上部開口を覆うように一体化された板金製のカバー部材とで構成されており、カードを前記カード挿入口からベース部材の底板部上に所定量挿入すると、前記外部接続部が対応する端子部材の一端部（接触部）に接触するようになっている。すなわち、各端子部材は、接触部の基端側に延出する平板部分がベース部材の底板部内に埋設されており、接触部が底板部に片持ち状に支持された弾性片となっているため、カードが底板部上を摺動して接触部側へ移動すると、カード側の外部接続部に接触部が弾接してカードと端子部材とが電気的に接続された状態となる。なお、各端子部材の他端部はプリント基板に半田付けされる端子部となっている。
【特許文献１】特開２００１−３４４５７２号公報（第３−５頁、図１）
【発明の開示】
【発明が解決しようとする課題】
【０００４】
昨今、この種のカード用コネクタ装置が組み込まれる携帯電話等の機器は小型化される傾向にあり、カード自体も薄型化が促進されていることから、小型で薄型のカード用コネクタ装置が要望されているが、前述した従来技術では、ベース部材の底板部内に各端子部材の平板部分が埋設されているため、底板部の板厚が大きくなってベース部材の薄型化を促進できないという問題があった。すなわち、端子部材の平板部分はインサート成形によってベース部材の底板部内に埋設されるので、この底板部は平板部分の上下に相応の厚みを確保しておかないと金型のキャビティ内での溶融樹脂の流れに支障をきたしてしまい、結果として端子部材の取付強度を低下させてしまう。したがって、かかる従来技術では、端子部材の取付強度不足を回避するために、ベース部材の底板部を板厚の大きなものにせざるを得ず、これがカード用コネクタ装置の薄型化を阻害する要因となっていた。
【０００５】
なお、ベース部材の底板部を薄くするためにインサート成形以外の手法で端子部材をベース部材に固定することは、生産効率の低下やコストアップを招来するため好ましくない。
【０００６】
本発明は、このような従来技術の実情に鑑みてなされたもので、その目的は、薄型化に好適で効率よく安価に製造できるカード用コネクタ装置を提供することにある。
【課題を解決するための手段】
【０００７】
上記の目的を達成するために、本発明のカード用コネクタ装置は、外部接続部を有するカードが底板部上に挿入可能な合成樹脂製のベース部材と、一端部が前記外部接続部に接触可能な接触部で他端部が端子部となっている複数の端子部材とを備え、前記各端子部材は前記接触部と前記端子部との間に、高さ位置が異なる上側保持部と下側保持部とを連結してなる折曲形状の固着部を有し、この固着部が前記ベース部材の金型にインサートされることによって前記底板部に密着固定されていると共に、前記上側保持部が前記底板部の上面に露出して前記下側保持部が該底板部の下面に露出するように構成した。
【０００８】
このように構成されたカード用コネクタ装置によれば、インサート成形時に、端子部材の固着部のうち上側保持部や下側保持部を除く折曲部分の周囲に溶融樹脂を充填することによってベース部材の底板部が形成できるので、この底板部のうち上側保持部の下面に密着する部分と下側保持部の上面に密着する部分をそれぞれ溶融樹脂の流れに支障をきたさない厚みに設定しておけば、固着部の折曲部分を該底板部内に確実に埋設することができ、上側保持部や下側保持部も該底板部に確実に固定することができる。したがって、ベース部材の底板部の板厚を大幅に低減しても、端子部材に対して所要の取付強度を確保することが可能となり、信頼性を損なうことなくカード用コネクタ装置の薄型化が促進できる。また、インサート成形によって端子部材をベース部材に固定するので、このカード用コネクタ装置は効率よく安価に製造できる。
【０００９】
上記の構成において、前記固着部が前記上側保持部と前記下側保持部を交互に配して凹凸を連ねた形状に形成されている構成にすると、上側保持部の延伸方向両端近傍や下側保持部の延伸方向両端近傍がベース部材の底板部内に埋設された状態となるため、これら上側保持部および下側保持部の剥離強度が一層高まって好ましい。
【００１０】
また、上記の構成において、前記上側保持部の上面を前記底板部の上面と略同等の高さ位置に配置すると共に、前記下側保持部の下面を前記底板部の下面と略同等の高さ位置に配置する構成にしてあると、ベース部材の底板部の板厚は上側保持部の上面の高さ位置と下側保持部の下面の高さ位置との差に等しくなるため、該底板部を無理なく顕著に薄くすることができて好ましい。特に、前記底板部の板厚が前記端子部材の板厚の２倍であると、該底板部を最大限に薄くすることができて好ましい。
【００１１】
また、上記の構成において、前記複数の端子部材は予め前記固着部どうしが連結桟によって連結されており、前記インサート成形後に前記連結桟を切断することによって個々の前記端子部材に分離されるように構成してあると、金型のキャビティ内で懸念される各端子部材の固着部の位置ずれを防止することができるため、これら固着部の位置精度を高めたインサート成形が行える。この場合において、前記連結桟は複数の端子部材の前記上側保持部どうしまたは前記下側保持部どうしを連結するものであって、この連結桟の前記切断箇所に前記底板部を板厚方向に貫通する打ち抜き孔が穿設されている構成になっていれば、底板部の片面に露出する連結桟を該露出面側から切断ポンチ等で打ち抜いて切断することにより、切断時のバリが底板部の表面に現れないようにできる。
【発明の効果】
【００１２】
本発明のカード用コネクタ装置は、ベース部材の底板部のうち、端子部材の固着部の上側保持部の下面に密着する部分と下側保持部の上面に密着する部分をそれぞれ、インサート成形時の溶融樹脂の流れに支障をきたさない厚みに設定しておきさえすれば、該固着部のうち上側保持部や下側保持部を除く折曲部分が該底板部内に確実に埋設できて、上側保持部や下側保持部も該底板部に確実に固定できるので、該底板部の板厚を大幅に低減しても端子部材に対して所要の取付強度を確保することが可能であり、それゆえ信頼性を損なうことなくカード用コネクタ装置の薄型化が促進できる。また、インサート成形によって端子部材をベース部材に固定するので、このカード用コネクタ装置は効率よく安価に製造することができる。
【発明を実施するための最良の形態】
【００１３】
発明の実施の形態について図面を参照して説明すると、図１は本発明の実施形態例に係るカード用コネクタ装置の平面図、図２は該カード用コネクタ装置の分解斜視図、図３は該カード用コネクタ装置に備えられるインサート成形体の斜視図、図４は該インサート成形体の平面図、図５は図４のＶ−Ｖ線に沿う断面図、図６は該インサート成形体に備えられる端子部材群の分離前の平面図、図７は該端子部材群の分離前の斜視図である。
【００１４】
図１と図２に示すように、本実施形態例に係るカード用コネクタ装置は、複数の端子部材１を支持する合成樹脂製のベース部材２と、このベース部材２の上部開口を覆う板金製のカバー部材３と、ベース部材２の内部に収納されたカード排出機構４とによって概略構成されており、ベース部材２をカバー部材３で蓋閉することによってハウジング７が構成されている。
【００１５】
ベース部材２は金型内に複数の端子部材１をインサートして成形されたモールド品であり、こうして各端子部材１がベース部材２に保持されてなる一体品が図３〜図５に示すインサート成形体１２である。各端子部材１の一端部は後述するカード５の外部接続部５ａに接触可能な接触部１ａ、他端部は図示せぬプリント回路基板に半田付けされる端子部１ｂとなっており、これら接触部１ａと端子部１ｂとの間には凹凸を連ねた形状に折曲加工された固着部１ｃが設けられている。この固着部１ｃはベース部材２の成形時に金型内にインサートされる部位であり、各端子部材１はベース部材２の底板部２ａに固着部１ｃが固定されている。図３〜図５に示すように、固着部１ｃには高さ位置が異なる上側保持部１ｄと下側保持部１ｅが交互に配されており、上側保持部１ｄは底板部２ａの上面に露出しており、下側保持部１ｅは底板部２ａの下面に露出している。また、固着部１ｃのうち上側保持部１ｄや下側保持部１ｅを除く折曲部分は底板部２ａ内に埋設されている。この固着部１ｃは、上側保持部１ｄの上面が底板部２ａの上面と同一面内にあると共に、下側保持部１ｅの下面が底板部２ａの下面と同一面内にあるため、上側保持部１ｄの上面の高さ位置と下側保持部１ｅの下面の高さ位置との差は底板部２ａの板厚と同等である。すなわち、底板部２ａの板厚は、上側保持部１ｄと下側保持部１ｅの板厚を足した寸法で、端子部材１の板厚の２倍程度とすることができる。また、底板部２ａとカバー部材３との間にはカード５を配置させるためのカード収納部６が画成されている。このカード収納部６の手前側は開放端となっており、ベース部材２にカバー部材３を取り付けてハウジング７を構成すると、この開放端がカード挿入口８となる。なお、各端子部材１の接触部１ａは、カード５が搭載される底板部２ａの上面よりも若干量上方へ突出しており、カード収納部６内へ挿入されたカード５の下面に接触できるようになっている。
【００１６】
図６と図７に示すように、各端子部材１は予めそれぞれの固着部１ｃの接触部１ａ寄りの下側保持部１ｅどうしが連結桟１４によって連結されており、インサート成形後に、この連結桟１４を切断ポンチ等で打ち抜いて切断することにより、各端子部材１は個々の端子部材１に分離される。その際、底板部２ａの下面に露出する連結桟１４を該下面側から打ち抜くことによって、インサート成形体１２には該切断箇所に底板部２ａを板厚方向に貫通する複数の打ち抜き孔１３が穿設される。こうすることで、切断時のバリが底板部２ａの表面に現れなくなる。なお、これとは逆に各端子部材１の上側保持部１ｄどうしを連結桟１４によって連結しておいてもよく、その場合は、インサート成形後に連結桟１４を底板部２ａの上面側から打ち抜いて打ち抜き孔１３を穿設すれば、切断時のバリが底板部２ａの表面に現れなくなる。
【００１７】
カバー部材３はステンレス等の金属板をプレス加工したもので、このカバー部材３には平板部３ａの前端を除く左右両側と後端に折曲片３ｂが形成され、平板部３ａの手前側には押圧片３ｃが形成されている。このカバー部材３は、各折曲片３ｂをベース部材２にスナップ結合やかしめ等の手段で固定することによって取り付けられており、平板部３ａは底板部２ａの上方に配置されてカード収納部６の上部開口を覆っている。
【００１８】
カード排出機構４はスライド部材９とコイルばね１０およびピン部材１１を備えており、これら各部材はカード収納部６の側方に配置されている。スライド部材９は合成樹脂材にて全体的にＬ字状に成形されており、カード収納部６側へ突出する受部９ａと、この受部９ａから直角に延びる延出部９ｂとを有し、この延出部９ｂの内底部９ｃにハート型カム溝（図示せず）が形成されている。コイルばね１０はベース部材２の奥側の内壁面とスライド部材９の後端面との間に介設されており、スライド部材９はコイルばね１０の弾発力によって装置手前側へ付勢されている。ピン部材１１の一端部１１ａは前記ハート型カム溝に係合しており、ピン部材１１の他端部１１ｂはベース部材２の手前側の壁部に揺動自在に支持されている。なお、カバー部材３の平板部３ａに形成された押圧片３ｃはピン部材１１に弾接しており、ピン部材１１は押圧片３ｃによって前記ハート型カム溝の内底面に付勢されている。
【００１９】
このカード用コネクタ装置に使用されるカード５は平面視矩形状をなし、その下面側には各端子部材１に対応して外部接続部５ａが設けられている。このカード５は、前端部５ｂ側からカード収納部６内へ挿入されて、所定量挿入されると前端部５ｂがスライド部材９の受部９ａに当接するようになっている。
【００２０】
次に、上述したカード用コネクタ装置の動作について説明する。
【００２１】
カード５をカード挿入口８に挿入してカード収納部６内へ押し込んでいくと、カード５の前端部５ｂがスライド部材９の受部９ａに当接して該受部９ａを押し込むため、スライド部材９がコイルばね１０の付勢力に抗して装置奥側へ移動し、それに伴ってピン部材１１の一端部１１ａが前記ハート型カム溝の往路に沿って移動する。そして、カード５をさらに押し込んでピン部材１１の一端部１１ａがハート型カム溝の往路の最前部に到達すると、スライド部材９のそれ以上の移動はピン部材１１によって規制されるが、ここでカード５への押し込み力を除去すれば、スライド部材９がコイルばね１０の付勢力で装置手前側へ若干量戻されるため、ピン部材１１の一端部１１ａがハート型カム溝のロック部に係止される。これにより、スライド部材９がロックされてカード５が所定の装着位置に保持された状態となり、カード５の外部接続部５ａが対応する端子部材１の接触部１ａに接触する。
【００２２】
また、挿入されたカード５を排出させる場合、所定の装着位置に保持されているカード５を装置奥側へ若干量押し込むと、ピン部材１１の一端部１１ａがハート型カム溝のロック部から離脱して復路へと移動し、スライド部材９のロックが解除される。したがって、カード５に対する押し込み力を除去すると、スライド部材９がコイルばね１０に付勢されて装置手前側へ移動し、それに伴ってスライド部材９の受部９ａがカード５の前端部５ｂを装置手前側へ押し込むので、カード５が排出位置へと移動する。
【００２３】
このように本実施形態例に係るカード用コネクタ装置では、インサート成形によって底板部２ａに固定される各端子部材１の固着部１ｃが、上側保持部１ｄと下側保持部１ｅを交互に配して凹凸を連ねた形状に形成されているので、インサート成形時に、固着部１ｃのうち上側保持部１ｄや下側保持部１ｅを除く折曲部分の周囲に溶融樹脂を充填することによって底板部２ａが形成できる。つまり、底板部２ａのうち上側保持部１ｄの下面に密着する部分と下側保持部１ｅの上面に密着する部分をそれぞれ、溶融樹脂の流れに支障をきたさない厚みに設定しておきさえすれば、固着部１ｃの前記折曲部分を底板部２ａ内に確実に埋設することができ、上側保持部１ｄや下側保持部１ｅについても、その延伸方向両端近傍が底板部２ａ内に埋設されるので該底板部２ａに確実に固定することができる。したがって、図５に示すように、底板部２ａの板厚は極めて薄くなっているが、各端子部材１の取付強度は十分に確保されており、信頼性を損なうことなくカード用コネクタ装置の薄型化が促進されている。
【００２４】
また、このカード用コネクタ装置では、各端子部材１の固着部１ｃが予め連結桟１４によって連結されており、インサート成形後に連結桟１４を切断することによって個々の端子部材１に分離されるように構成してあるため、金型のキャビティ内で懸念される各端子部材１の固着部１ｃの位置ずれを防止することができる。したがって、これら固着部１ｃの位置精度を高めたインサート成形が行えることとなり、高信頼性のカード用コネクタ装置が効率よく安価に製造できる。
【図面の簡単な説明】
【００２５】
【図１】本発明の実施形態例に係るカード用コネクタ装置の平面図である。
【図２】該カード用コネクタ装置の分解斜視図である。
【図３】該カード用コネクタ装置に備えられるインサート成形体の斜視図である。
【図４】該インサート成形体の平面図である。
【図５】図４のＶ−Ｖ線に沿う断面図である。
【図６】該インサート成形体に備えられる端子部材群の分離前の平面図である。
【図７】該端子部材群の分離前の斜視図である。
【符号の説明】
【００２６】
１  端子部材
１ａ  接触部
１ｂ  端子部
１ｃ  固着部
１ｄ  上側保持部
１ｅ  下側保持部
２  ベース部材
２ａ  底板部
３  カバー部材
４  カード排出機構
５  カード
５ａ  外部接続部
６  カード収納部
１２  インサート成形体
１３  打ち抜き孔
１４  連結桟
【図１】
2006156106.tif 000003
【図２】
2006156106.tif 000004
【図３】
2006156106.tif 000005
【図４】
2006156106.tif 000006
【図５】
2006156106.tif 000007
【図６】
2006156106.tif 000008
【図７】
2006156106.tif 000009